(57)【要約】  布地物品を処理するための溶媒処理方法、より具体的には、酸素化溶媒処理方法が本発明によって提供される。【特許請求の範囲】
【請求項１】
０．３０グラムＯ３／グラム未満のオゾン反応性、及び／又は０．１ｍｍＨｇ以下の蒸気圧を有する溶媒と、布地物品とを接触させる工程を含む、処理の必要な布地物品を処理するための方法。
【請求項２】
前記溶媒が０．３０グラムＯ３／グラム未満のオゾン反応性を有する、請求項１に記載の方法。
【請求項３】
前記溶媒が、カーボネート溶媒、スクシネート溶媒及びこれらの混合物から成る群から選択され、好ましくは、前記溶媒が、炭酸メチル、炭酸エチル、炭酸プロピレン、炭酸グリセリン及びこれらの混合物から成る群から選択されるカーボネート溶媒を含み、並びに／又は前記溶媒が、コハク酸ジメチル及びこれらの混合物から成る群から選択されるスクシネート溶媒を含む、請求項１に記載の方法。
【請求項４】
前記方法が、前記布地物品と添加溶媒とを接触させる工程を更に含み、好ましくは、前記添加溶媒が親油性流体を含み、より好ましくは、前記親油性流体が、直鎖シロキサン、環状シロキサン及びこれらの混合物を含み、更に好ましくは、前記親油性流体が、オクタメチルシクロテトラシロキサン、デカメチルシクロペンタシロキサン、ドデカメチルシクロヘキサシロキサン、及びこれらの混合物から成る群から選択される親油性流体を含み、最も好ましくは、前記親油性流体がデカメチルシクロペンタシロキサンを含み、前記親油性流体がデカメチルシクロペンタシロキサンを含み、かつオクタメチルシクロテトラシロキサンを実質的に含まない、請求項１に記載の方法。
【請求項５】
前記方法が、前記布地物品と極性相とを接触させる工程を更に含み、好ましくは、前記極性相が水を含み、より好ましくは、前記極性相が前記布地物品の少なくとも約０．１重量％の水を含み、更に好ましくは、前記極性相が前記布地物品の多くとも約５％の水を含む、請求項１に記載の方法。
【請求項６】
前記極性相がアルコールを含む、請求項５に記載の方法。
【請求項７】
前記方法が、前記布地物品と乳化剤とを接触させる工程を更に含む、請求項１に記載の方法。
【請求項８】
前記方法が、前記布地物品と界面活性剤とを接触させる工程を更に含む、請求項１に記載の方法。
【請求項９】
前記方法が、前記布地物品と添加成分とを接触させる工程を更に含む、請求項１に記載の方法。
【請求項１０】
前記方法が約８０℃未満で行われる、請求項１に記載の方法。
【請求項１１】
布地物品の処理チャンバと、０．３０グラムＯ３／グラム未満のオゾン反応性を有する溶媒、０．１ｍｍＨｇ以下の蒸気圧を有する溶媒、０．１ｍｍＨｇより大きな蒸気圧を有し、かつ約０．３０グラムＯ３／グラム未満のオゾン反応性を有する溶媒、及びこれらの混合物から成る群から選択される溶媒の供給源とを含む布地物品を処理する装置であって、請求項１〜１０のいずれか１項に記載の方法を前記装置内で行うことができる装置。
【請求項１２】
布地物品を処理するための請求項１１に記載の装置の使用。
【発明の詳細な説明】
【技術分野】
【０００１】
本発明は、布地物品を処理するための溶媒処理方法に関し、より特定的には、酸素化溶媒処理方法に関する。
【発明の開示】
【発明が解決しようとする課題】
【０００２】
布地物品を処理するための溶媒の使用、特にドライクリーニングでの適用における溶媒の使用は、周知である。例えば、最もよく使用される溶媒であるパークロロエチレン（「ＰＥＲＣ」）は、数十年にわたってドライクリーニング業者によって使用されてきた。しかし、ＰＥＲＣに伴う環境的な問題により、代替の溶媒を特定する必要性がある。
【課題を解決するための手段】
【０００３】
本発明は、布地物品を処理するための溶媒処理方法において使用可能な環境的に好ましい溶媒を提供することによって、上述の必要性を満たす。
【０００４】
本発明の一態様では、０．３０グラムＯ３／グラム未満のオゾン反応性を有する溶媒と、布地物品とを接触させる工程を含む、処理を必要とする布地物品を処理するための方法を提供する。
【０００５】
本発明の他の態様では、２５℃にて０．１ｍｍＨｇ以下の蒸気圧を有する溶媒と、布地物品とを接触させる工程を含む、処理を必要とする布地物品を処理するための方法を提供する。
【０００６】
本発明のなお他の態様では、２５℃にて０．１ｍｍＨｇより大きな蒸気圧を有し、かつ０．３０グラムＯ３／グラム未満のオゾン反応性を有する溶媒と、布地物品とを接触させる工程を含む、処理を必要とする布地物品を処理するための方法を提供する。
【０００７】
本発明の更に他の態様では、本発明の方法によって処理される布地物品を提供する。
【０００８】
本発明のなお更に他の態様では、布地物品の処理チャンバと、０．３０グラムＯ３／グラム未満のオゾン反応性を有する溶媒、２５℃にて０．１ｍｍＨｇ以下の蒸気圧を有する溶媒、０．１ｍｍＨｇより大きな蒸気圧を有し、かつ約０．３０グラムＯ３／グラム未満のオゾン反応性を有する溶媒、及びこれらの混合物から成る群から選択される溶媒の供給源とを含む、布地物品を処理する装置を提供する。
【０００９】
それ故に、本発明は、環境的に好ましい布地物品を処理するための溶媒処理方法を提供し、このような方法によって処理される布地物品、及びこのような方法を行われることができる布地物品を処理する装置を提供する。
【発明を実施するための最良の形態】
【００１０】
（定義）
本明細書で使用する時、「布地物品」は、従来型洗濯工程又はドライクリーニング工程で、通例、クリーニングされる、いかなる物品をも意味するものとする。このような用語は、衣服、亜麻布、服地、及び衣服付属品のような物品を包含する。この用語はまた、手さげバッグ、家具カバー、防水布など、全体的に又は部分的に布で作られた他の品目も包含する。
【００１１】
本明細書で使用する時、「環境的に好ましい」とは、本発明の溶媒及び／又は方法が、揮発性有機化合物（Volatile Organic Compound）（ＶＯＣ）規制から外れるために米国の環境保護局（Environmental Protection Agency）の基準に適格化することを意味する。
【００１２】
本明細書で使用する時、「オゾン反応性」は、大気中で、ＶＯＣがオゾンを形成する能力の測定値である。それは、揮発性有機物１グラムあたり形成されるオゾンのグラム数として測定される。オゾン反応性を決定するための方法論は、カリフォルニア大学（リバーサイド）のウィリアムＰ．Ｌ．カーター博士（Dr.William P.L. Carter）によって開発されてきた。ＵＳ  ＥＰＡは、この概念を使用し、幾つかの化合物（例えば、環状メチル化シロキサン及び酢酸メチル）がＶＯＣ規制を外れている。カリフォルニア州は、エアゾールコーティング製品において、ＶＯＣのためのオゾン反応性に基づく規制を開発した。
【００１３】
参照：Ｗ．Ｐ．Ｌ．カーター（W.P.L.Carter）著、「揮発性有機化合物のオゾン反応性スケールの開発（Development of Ozone Reactivity Scales of Volatile Organic Compounds）」、ジャーナル・オブ・ザ・エアー・アンド・ウェイスト・マネージメント・アソシエーション（Journal of the Air & Waste Management Association）、４４巻、８８１〜８９９頁、１９９４年。
【００１４】
使用する時、「蒸気圧」は、カリフォルニア大気資源局（California Air Resources Board）の方法３１０に定義される技術によって測定可能である。
【００１５】
（溶媒）
本発明の方法及び／又は装置において用いられるのに好適な溶媒としては、カーボネート溶媒、スクシネート溶媒及び／又はこれらの混合物が挙げられるが、これらに限定されない。主溶媒として本発明において用いられる溶媒の定義は、環状シロキサン溶媒、ペルフッ素化溶媒及びグリコールエーテル溶媒を明確に排除する。しかし、このような添加溶媒を、本発明の溶媒と組み合わせて使用してもよい。
【００１６】
本発明において用いられるのに好適なカーボネート溶媒としては、炭酸メチル、炭酸エチル、炭酸プロピレン、炭酸グリセリン及びこれらの混合物が挙げられるが、これらに限定されない。
【００１７】
本発明において用いられるのに好適なスクシネート溶媒は、コハク酸ジメチルが挙げられるが、これに限定されない。
【００１８】
（添加溶媒）
添加溶媒を、本発明の溶媒と組み合わせて使用してもよい。添加溶媒は、以下に限定されないが、親油性流体を含む。
【００１９】
本明細書の親油性流体は、布地物品処理機器の運転条件下で、換言すれば、本発明による布地物品の処理中に、液体相を有するものである。一般に、このような親油性流体は周囲温度及び圧力において完全な液体であり得、容易に溶解する固体、例えば約０℃〜約６０℃の範囲の温度で液体になるものであり得、又は例えば２５℃及び１気圧の周囲温度及び圧力において液相及び蒸気相の混合物を含み得る。従って、親油性流体は、二酸化炭素のような圧縮性気体ではない。本発明の親油性流体は、可燃性であるか、又は既知の従来型ドライクリーニング流体の特性に等しいか、好ましくはこれを超える比較的高い引火点及び／又は低いＶＯＣ特性を有するのが好ましく、ここでこれらの用語はドライクリーニング産業で使用される従来の意味を有する。更に、本明細書の好適な親油性流体は、流動し易く、粘性ではない。一般に、本明細書の親油性流体は、本明細書で後述する試験の中で定義されるように、皮脂又は身体の汚れを少なくとも部分的に溶解できる流体であることが必要である。親油性流体の混合物もまた好適であり、下記の親油性流体試験の要件が満たされることを条件として、親油性流体は、いずれかの分率のドライクリーニング溶媒、特にフッ素化溶媒類、又は過フッ素化アミン類を包含する、より新しい種類のものを含むことができる。パーフルオロトリブチルアミンのような幾つかの過フッ化アミン類は、親油性流体として使用するには適さないが、親油性流体を含有する組成物中に存在する多くの可能な添加剤の１つとして存在してよい。他の好適な親油性流体には、ジオール溶媒系、例えば、Ｃ６−若しくはＣ８−の高級ジオール、又は更に高級のジオール類、環状及び非環状型の両方を含む有機シリコーン溶媒類等、並びにこれらの混合物が挙げられるが、これらに限定されない。本発明の組成物の主成分として組み込むのに好適な非水性親油性流体の好ましい群には、低揮発性非フッ素化有機物類、シリコーン類、特にアミノ官能性シリコーン類以外のもの、及びこれらの混合物が挙げられる。低揮発性非フッ素化有機物には、例えば、オリーン（ＯＬＥＡＮ）及び他のポリオールエステル類、又は、ある種の比較的非揮発性の生分解性の中鎖分枝石油留分が挙げられる。本発明の組成物の主成分として組み込むのに好適な非水性親油性流体の別の好ましい群には、グリコールエーテル類、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられるが、これらに限定されない。組成物の主成分として、例えば、５０％を超過して用いられる好適なシリコーン類には、「Ｄ５」と称されることもあるシクロペンタシロキサン、及び／又はほぼ同様の揮発性を有し、任意に他の適合性のあるシリコーンにより補完される直鎖類似体が挙げられる。好適なシリコーン類は、文献で周知であり、例えば、カーク・オスマー（Kirk Othmer）の工業化学百科事典（Encyclopedia of Chemical Technology）を参照されたい。また、ゼネラル・エレクトリック（General Electric）、東芝シリコーン（株）、バイエル（Bayer）、及びダウ・コーニング（Dow Corning）を含む多数の民間の供給源から入手可能である。他の好適な親油性流体が、プロクター・アンド・ギャンブル社（Procter & Gamble）、又はダウ・ケミカル（Dow Chemical）、及び他の供給元から入手可能である。例えば、１つの好適なシリコーンに、ＧＥシリコーン流体（GE silicone fluids）から入手可能なＳＦ−１５２８がある。ＳＦ−１５２８流体が、シクロペンタシロキサン（Ｄ５）９０％であることは特記の価値がある。
【００２０】
（親油性流体の適格性−親油性流体試験（ＬＦ試験））
ドライクリーニング流体に対する既知の要求（例えば、引火点）を満たすことができ、かつ少なくとも部分的に下記の試験法に示すように皮脂を溶解することができるいかなる非水性流体でも、本発明の親油性流体として好適である。特定の物質が皮脂を取り除く能力は、いずれかの既知の技術で測定できる。一般的な指針として、Ｄ５は皮脂を溶解するが、パーフルオロブチルアミン（フルオリナート（Fluorinert）ＦＣ−４３（登録商標））はそれ自体では（添加剤と共に又は添加剤なしで）、定義によって本明細書の親油性流体（それは本質的に非溶媒である）としては好適ではない参照物質である。
【００２１】
以下は親油性流体として使用する他の物質、例えば、他の低粘度、自由流動性シリコーンの調査及び適格性を認定する方法である。この方法は、皮脂に関するモデル汚れとして、市販品として入手可能なクリスコ（Crisco）（登録商標）キャノーラ油、オレイン酸（純度９５％、シグマ・アルドリッチ社（Sigma Aldrich Co．）から入手可能）及びスクアレン（純度９９％、Ｊ．Ｔ．ベーカー（J．T．Baker）から入手可能）を使用する。試験物質は、実質的に無水であり、いかなる添加された添加剤も評価中の他の材料も含んでいてはならない。
【００２２】
３つのバイアル瓶を準備する。第１のバイアル瓶に１．０ｇのキャノーラ油を入れ、第２のバイアル瓶に１．０ｇの前記オレイン酸（９５％）を入れ、第３及び最後のバイアル瓶に１．０ｇの前記スクアレン（９９％）を入れる。各バイアル瓶に、親油性を試験する流体を１ｇ入れる。室温及び室内圧力で標準的な攪拌混合機において、最大設定で２０秒間、試験される親油性汚れ及び流体を含有する各バイアル瓶を個別に混合する。バイアル瓶を作業台に置き、室温及び室内圧力で１５分間沈殿させる。静止した時に、親油性汚れを有しているいずれかのバイアル瓶に単一の相が形成された場合は、その流体は、本発明による「親油性流体」として使用するに好適であると格付けされる。しかしながら、３つ全てのバイアル瓶中で２つ以上の分離相が形成されている際には、油相中に溶解される流体の量は格付けされるものとして拒絶される又は容認される前に、更に決定される必要がある。
【００２３】
このような場合には、注射器により、各バイアル瓶の各層から２００ｍｌのサンプルを注意深く抽出する。各３つのモデル汚れの較正試料及び試験される流体の保持時間を決定した後、注射器で採取した相試料をＧＣオートサンプラーバイアルに入れ、従来のＧＣ分析にかける。オレイン酸層、キャノーラ油層、又はスクアラン層からなる層のいずれか１つに、試験流体が１％を超えて、好ましくはより多く、存在することがＧＣで見つかった場合には、その試験流体も親油性流体として使用するのに適切であると格付けされる。必要であれば、上記方法はヘプタコサフルオロトリブチルアミン、つまりフロリナート（Fluorinert）ＦＣ−４３（不合格）及びシクロペンタシロキサン（合格）を使用して更に較正することができる。
【００２４】
好適なＧＣは、スプリット／スプリットレスインジェクター及びＦＩＤを装備したヒューレットパッカード（Hewlett Packard）のガスクロマトグラフＨＰ５８９０シリーズＩＩである。親油性流体の存在量を決定するのに使用する好適なカラムは、Ｊ＆Ｗサイエンティフィック社（J&W Scientific）の、３０メートル、内径０．２５ｍｍ、０．１μｍの膜厚、カタログ番号１２２１１３１のキャピラリーカラムＤＢ−１ＨＴである。ＧＣは次の条件下で操作されるのが好適である：
【表１】
2005513293.tif 000002
【００２５】
本明細書で用いられるのに好適な典型的な親油性流体は、優れた衣類ケア特性を有することに基づいて、使用のために更に格付けすることができる。衣類ケア特性試験は当該技術分野において周知であり、幅広い範囲の衣類又は継ぎ目等に使用される布地、糸及びゴムひもを包含する布地物品構成要素及び様々なボタンを使用して特定されるべき流体を試験することを包含する。本発明で用いられるための典型的な親油性流体は、優れた衣類保護特性を有し、例えば、良好な縮み又は布皺付け特性を有して、プラスチックボタンに大きな損傷を与えない。
【００２６】
衣類保護試験、又は例えば可燃性といった他の適格性のため、親油性流体中で用いられるある親油性流体は混合物、例えば、水との混合物中に存在することができ、その比は布地物品と接触することになる最終親油性流体中で用いられるおよその比である。皮脂を除去する特定の物質は、親油性流体として用いられるのに適格性があり、例えば、乳酸エチルはボタンを溶解する傾向のため全く好ましくない可能性があり、こうした物質が親油性流体の中で用いられる場合は、水及び／又は他の溶媒と共に配合されて、全体の混合物が実質的にボタンを傷めないように配合される。他の親油性流体、例えばＤ５は、衣類ケアの要求を十分に満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号の中に見出すことができ、これらは本明細書に参考として組み入れられる。
【００２７】
親油性溶媒には、線状及び環状ポリシロキサン類、炭化水素類及び塩素化炭化水素類を含むことができる。より好ましいのは線状及び環状ポリシロキサン類、及び炭化水素のグリコールエーテル、炭化水素の酢酸エステル、炭化水素の乳酸エステル類である。好ましい親油性溶媒には、７６０ｍｍＨｇにおける沸点が約２５０℃未満である環状シロキサン類が挙げられる。本発明で用いられるのに特に好ましい環状シロキサン類は、オクタメチルシクロテトラシロキサン、デカメチルシクロペンタシロキサン及びドデカメチルシクロヘキサシロキサンである。有用な環状シロキサンの混合物は、好ましい環状シロキサン類に加えて少量の他の環状シロキサン類も含有する可能性があることを理解する必要があり、こうした他の環状シロキサンには、ヘキサメチルシクロトリシロキサン、又はテトラデカメチルシクロヘプタシロキサンのようなより高級な環状物が挙げられる。一般に、有用な環状シロキサン類混合物中のこれらの他の環状シロキサンの量は、混合物全体の約１０重量％未満である。
【００２８】
（添加剤成分）
添加剤物質は、非常に広範囲であり得、広範囲の濃度で使用することができる。例えば、プロテアーゼ類、アミラーゼ類、セルラーゼ類、リパーゼ類等のような洗浄性酵素、並びに、洗濯及び洗浄製品で全て有用なマンガン又は類似の遷移金属を有する大環状種を含む漂白触媒を、非常に低い濃度で、又はあまり一般的ではないがより高い濃度で、本明細書において使用することができる。触媒作用をする添加剤物質、例えば、酵素は「前進」又は「逆進」モードで用いることができ、これは本発明の特定の器具とは無関係に有用な発見である。例えば、リポラーゼ又は他の加水分解酵素を、補助剤としてのアルコール類の存在下で任意に使用してもよく、脂肪酸をエステルに変換し、それにより溶媒中の溶解度を増大させる。これは「逆方向」操作であって、水に対する溶解度がより小さい脂肪酸エステルを、水に対する溶解度がより大きい物質に変換するための、水中における加水分解酵素の通常の使用法とは対照的である。いずれにしても、いかなる添加剤成分も溶媒との組み合わせで用いられるのに適していなければならない。
【００２９】
上記組成物は乳化剤を含んでもよい。乳化剤は化学分野で既知である。本質的に、乳化剤は２つ以上の不溶性又は準可溶性の相を一緒にして、安定又は準安定したエマルションをもたらすように作用する。請求する発明において、乳化剤が乳化剤としてだけではなく、トリートメント性能増進剤としても作用できる、二重の目的を果たすことが好ましい。例えば、乳化剤はまた界面活性剤としても作用し、その結果、クリーニング性能を増進させる。通常の乳化剤及び乳化剤／界面活性剤の両方は市販されている。
【００３０】
好適な洗浄性添加剤の一部には、ビルダー、界面活性剤、酵素、漂白活性化剤、漂白触媒、漂白増進剤、漂白剤、アルカリ性供給源、抗細菌剤、着色剤、香料、香料前駆体、仕上げ助剤、石灰石鹸分散剤、組成物悪臭防止剤、臭気中和剤、高分子染料移行防止剤、結晶成長防止剤、光漂白剤、重金属イオン封鎖剤、変色防止剤、抗菌剤、酸化防止剤、再付着防止剤、汚れ剥離ポリマー、電解質、ｐＨ調整剤、増粘剤、磨耗剤、二価又は三価のイオン、金属イオン塩、酵素安定剤、腐食防止剤、ジアミン又はポリアミン及び／又はそのアルコキシレート、泡安定化ポリマー、溶媒、加工助剤、布地柔軟剤、光学光沢剤、屈水性誘発物質、泡又は泡立ち防止剤、泡又は泡立ち促進剤、布地柔軟剤、帯電防止剤、染料固定剤、染料磨耗防止剤、剥げ落ち防止剤、皺取り剤、皺防止剤、汚れ放出ポリマー、汚れ忌避剤、日焼け止め剤、退色防止剤、及びこれらの混合物が挙げられるが、これらに限定されない。
【００３１】
「界面活性剤」という用語は従来、水、親油性流体、又はこの２つの混合物のいずれかの中において界面活性である物質を指す。幾つかの例証的な界面活性剤には、従来型水性洗剤系中で使用されるような、非イオン性界面活性剤、陽イオン性界面活性剤、及びシリコーン界面活性剤が挙げられる。好適な非イオン性界面活性剤としては、
ａ）ノニルフェノールとミリスチルアルコールとのポリエチレンオキシド縮合物、例えば米国特許第４，６８５，９３０号、カスプルザク（Kasprzak）；及び
ｂ）脂肪族アルコールエトキシレート、Ｒ−（ＯＣＨ２ＣＨ２）ａＯＨ、ａ＝１〜１００、典型的には１２〜４０であり、Ｒ＝８〜２０Ｃ原子の炭化水素残基、典型的には直鎖アルキルが挙げられるが、これらに限定されない。例としては、４個又は２３個のオキシエチレン基を有するポリオキシエチレンラウリルエーテル；２個、１０個、又は２０個のオキシエチレン基を有するポリオキシエチレンセチルエーテル；２個、１０個、２０個、２１個又は１００個のオキシエチレン基を有するポリオキシエチレンステアリルエーテル；２個又は１０個のオキシエチレン基を有するルポリオキシエチレン（２）、（１０）オレイルエーテである。市販の例としては、アルフォニック（ALFONIC）、ブリジェイ（BRIJ）、ゲナポール（GENAPOL）、ネオドール（NEODOL）、スルホニック（SURFONIC）、トライコール（TRYCOL）が挙げられるが、これらに限定されない。米国特許第６，０１３，６８３号、ヒル（Hill）らもまた参照のこと。
【００３２】
好適な陽イオン性界面活性剤は、次式：
Ｒ’Ｒ”Ｎ＋（ＣＨ３）２Ｘ−
を有するジアルキルジメチルアンモニウム塩が挙げられるが、これらに限定されない。
【００３３】
式中、各Ｒ’Ｒ”は１２〜３０Ｃ原子から成る基から独立して選択されるか、又はタロー、ココナッツ油若しくは大豆に由来し、Ｘ＝Ｃｌ又はＢｒであり、例には、ジドデシルジメチルアンモニウムブロミド（ＤＤＡＢ）、ジヘキサデシルジメチルアンモニウムクロリド、ジヘキサデシルジメチルアンモニウムブロミド、ジオクタデシルジメチルアンモニウムクロリド、ジエイコシルジメチルアンモニウムクロリド、ジドコシルジメチルアンモニウムクロリド、ジココナッツジメチルアンモニウムクロリド、ジタロージメチルアンモニウムブロミド（ＤＴＡＢ）が挙げられる。市販の例には、アドゲン（ADOGEN）、アーカード（ARQUAD）、トマ（TOMAH）、ヴァリカート（VARIQUAT）が挙げられるが、これらに限定されない。また米国特許第６、０１３、６８３号、ヒル（Hill）らを参照のこと。
【００３４】
好適なシリコーン界面活性剤には、ジメチルポリシロキサン疎水性部分と１以上の親水性ポリアルキレン側鎖とを有するポリアルキレンオキシドポリシロキサン類が挙げられ、以下の一般式：
Ｒ１−（ＣＨ３）２ＳｉＯ−［（ＣＨ−３）２ＳｉＯ］ａ−［（ＣＨ３）（Ｒ１）ＳｉＯ］ｂ−Ｓｉ（ＣＨ３）２−Ｒ１
を有するが、これに限定されない。
【００３５】
式中、ａ＋ｂは約１〜約５０、好ましくは約３〜約３０、更に好ましくは約１０〜約２５であり、各Ｒ１は同一であるか又は異なり、メチル及びポリ（エチレンオキシド／プロピレンオキシド）コポリマー基から成る群から選択され、次の一般式：
−（ＣＨ２）ｎＯ（Ｃ２Ｈ４Ｏ）ｃ（Ｃ３Ｈ６Ｏ）ｄＲ２
を有する。
【００３６】
式中、少なくとも１個のＲ１はポリ（エチレンオキシド／プロピレンオキシド）コポリマー基であり、その際、ｎは３又は４、好ましくは３であり；（全てのポリアルキレン側基の）ｃの合計は１〜約１００、好ましくは約６〜約１００であり；ｄの合計の値は０〜約１４、好ましくは０〜約３であり；更に好ましくはｄは０であり；ｃ＋ｄの合計の値は約５〜約１５０、好ましくは約９〜約１００であり、並びに各Ｒ２は同一であるか又は異なり、水素、１〜４個の炭素原子を有するアルキル基、及びアセチル基、好ましくは水素及びメチル基から成る群から選択される。これらの界面活性剤の例は、ヒル（Hill）の米国特許第５，７０５，５６２号及びヒル（Hill）の米国特許第５，７０７，６１３号に見出すことができ、これら２つを本明細書に引用して援用する。
【００３７】
この種類の界面活性剤の例には、コネチカット州ダンブリー（Danbury）のＣＫウィトコ（Witco）ＯＳｉディビジョンから入手可能なシルウェット（Silwet（登録商標））界面活性剤がある。典型的なシルウェット（Silwet）界面活性剤は次のとおりである。
【表２】
2005513293.tif 000003
【００３８】
ポリアルキレンオキシ基（Ｒ１）の分子量は、約１０，０００以下である。好ましくは、ポリアルキレンオキシ基の分子量は約８，０００以下、最も好ましくは約３００〜約５，０００の範囲である。従って、ｃ及びｄの値は、これらの範囲内の分子量を与える数であり得る。しかしながら、ポリエーテル鎖（Ｒ１）中のエチレンオキシ単位（−Ｃ２Ｈ４Ｏ）の数は、ポリアルキレンオキシドポリシロキサンを水分散性又は水溶性にするのに十分な値でなければならない。ポリアルキレンオキシ鎖にプロピレンオキシ基が存在する場合、それらは鎖中に無作為に分布するか、又はブロックとして存在し得る。好ましいシルウェット（Silwet）界面活性剤は、Ｌ−７６００、Ｌ−７６０２、Ｌ−７６０４、Ｌ−７６０５、Ｌ−７６５７、及びこれらの混合物である。表面活性の他にも、ポリアルキレンオキシドポリシロキサン界面活性剤は、布地に対する静電気防止効果、及び柔軟性などの他の効果をもたらすこともできる。
【００３９】
ポリアルキレンオキシドポリシロキサン類の調製は当該技術分野において既知である。本発明のポリアルキレンオキシドポリシロキサン類は、米国特許第３，２９９，１１２号に示された手順に従って調製することができ、これを参考として本明細書に組み入れる。
【００４０】
他の好適なシリコーン界面活性剤はＳＦ−１４８８であり、ＧＥシリコーン流体（GE silicone fluids）より入手可能である。
【００４１】
親油性流体と組み合わせて添加剤として用いられるのに好適なこれら及び他の界面活性剤は、当該技術分野で周知であり、より詳細にはカーク・オスマー（Kirk Othmer）の工業化学百科事典（Encyclopedia of Chemical Technology）、第３版、第２２巻、３６０〜３７９頁、「界面活性剤及び洗剤システム（Surfactants and Detersive Systems）」に記載されており、本明細書に引用して援用する。更なる好適な非イオン性洗浄性界面活性剤は、１９７５年１２月３０日にラフリン（Laughlin）らに発行された米国特許第３，９２９，６７８号の１３欄１４行〜１６欄６行に概ね開示されており、本明細書に引用して援用する。
【００４２】
添加剤はまた、静電気防止剤であってよい。洗濯及びドライクリーニング分野において用いられるいかなる適した周知の静電気防止剤も、本発明の方法及び組成物に用いるのに適している。静電気防止剤として特に適しているのは、静電気防止効果をもたらすことで知られている布地柔軟剤の一部である。例えば、Ｎ，Ｎ−ジ（タローイル−オキシ−エチル）−Ｎ，Ｎ−ジメチルアンモニウムメチルサルフェートのような、２０を超えるヨウ素価を有する脂肪族アシル基を有する布地柔軟剤である。しかし、静電気防止剤という用語は、この一部の布地柔軟剤だけに限らず、全ての静電気防止剤を含むということが理解されるべきである。
【００４３】
本発明で利用される方法及び／又は組成物は詳細に記載されるが、本発明を実行することが可能ないかなる組成物、方法、及び／又は装置も使用可能であることは、当該技術分野における当業者には理解されるであろう。
【００４４】
（方法）
本発明の方法は、溶媒処理レジメンにおいて改良された布地クリーニングを得ることに関し、本発明に従って上記布地を溶媒にさらす工程と、任意に本発明に従って、同時及び／又は連続的に、上記布地を添加溶媒及び／又は添加成分にさらす工程とを含む。任意ではあるが好ましくは、上記方法は布地を極性相にさらす工程を含んでもよい。
【００４５】
極性相は、水、アルコール、又はこれらの混合物を含有してもよい。極性相が水を含有する場合、極性相は、好ましくは、布地の少なくとも約０．５重量％、多くとも約１０重量％の水を含む。
【００４６】
添加溶媒は、直鎖シロキサン、環状シロキサン、又はこれらの混合物を含んでもよい。添加溶媒は、オクタメチルシクロテトラシロキサン、デカメチルシクロペンタシロキサン、ドデカメチルシクロヘキサシロキサン、及びこれらの混合物から本質的に成る群から選択される親油性流体であることができる。親油性流体は、デカメチルシクロペンタシロキサンを含んでもよい。更に、親油性流体は、デカメチルシクロペンタシロキサンを含んでもよく、かつオクタメチルシクロテトラシロキサンを実質的に含まなくてもよい（すなわち、５％未満、３％未満、１％未満、０．５％未満）。前述のシロキサンの引火点のために、上記方法は通常は約８０℃未満で行う。
【００４７】
本発明の方法を実行する一方で、それぞれ別々に、又は極性相、溶媒、添加溶媒、及び／若しくは添加成分に含有される結果として、布地を乳化剤及び／又は界面活性剤にさらしてもよい。酵素、漂白剤システム、界面活性剤、布地柔軟剤、香料、抗細菌剤、静電気防止剤、光沢剤、染料固定剤、染料磨耗防止剤、剥げ落ち防止剤、皺取り剤、皺防止剤、汚れ放出ポリマー、日焼け止め剤、退色防止剤、ビルダー、キレート剤、発泡剤、組成物悪臭防止剤、組成物着色剤、ｐＨ緩衝剤、耐水剤、防汚剤、及びこれらの混合物から本質的に成る群から選択される添加成分に布地をさらしてもよい。それぞれ別々に、又は極性相、溶媒、及び／若しくは添加溶媒の中に含有される結果として、このような添加剤を適用することもできる。
【００４８】
（組成物）
本発明の組成物は、溶媒処理レジメンにおいて改良された布地クリーニングを得ることに関し、上記組成物は、本発明に従う溶媒を含み、任意に添加溶媒、及び任意に添加成分を含む。任意で、組成物は極性相を更に含むことができる。
【００４９】
含まれる場合、極性相は、水、アルコール、及びこれらの混合物を含んであってもよい。
【００５０】
また、極性相は、好ましくは、組成物の少なくとも約０．１重量％、多くとも約５重量％の水を含む。
【００５１】
添加溶媒は、直鎖シロキサン、環状シロキサン、又はこれらの混合物を含んでもよい。添加溶媒は、オクタメチルシクロテトラシロキサン、デカメチルシクロペンタシロキサン、ドデカメチルシクロヘキサシロキサン、及びこれらの混合物から本質的に成る群から選択される親油性流体を含む親油性流体であってもよい。親油性流体は、デカメチルシクロペンタシロキサンを含んでもよい。更に、親油性流体は、デカメチルシクロペンタシロキサンを含んでもよく、かつオクタメチルシクロテトラシロキサンを実質的に含まなくてもよい（すなわち、５％未満、３％未満、１％未満、０．５％未満）。
【００５２】
本発明の方法及び／又は組成物は、その他の布地の処理と組み合わせられてもよいことは理解されるであろう。例えば、親油性流体の適用に先立って、布地物品を、その関連部分を本明細書に引用して援用する同時係属出願番号６０／１９１，９６５号（２０００年３月２４日出願、ノイエス（Noyes）ら）に記載されるような微粒子を除去する方法に付してもよい。
【００５３】
本発明は、ドライクリーニングサービス、おむつサービス、制服洗浄サービスのようなサービスにおいて、又はランドロマット、ドライクリーナー、ホテル、レストラン、コンベンションセンター、空港、観光船、港湾施設、カジノの一部であるリネンサービスのような商業的ビジネスに用いてもよく、家庭で用いてもよい。
【００５４】
改変された既存の装置である装置、及び関連する方法に加えて本発明の方法を実行するような方式で改造した装置で、本発明の方法及び／又は組成物を実行してもよい。
【００５５】
本発明の方法及び／又は組成物は、改変した既存の装置ではないが、本発明の方法を実行できるような方式にて具体的に作製される装置において実行してもよいし、又は溶媒及び／若しくは添加溶媒の処理システムの一部としてのもう１つの装置を加えてもよい。このことは、化学物質及び水の供給への接続、及び廃液洗浄流体の下水設備のような付随するあらゆる配管を含む。
【００５６】
最終的に、本発明の方法は、改変された既存の装置ではないが、本発明の方法及び関連する方法を実行することができるような方式にて具体的に作製されるものである装置において実行してもよい。
【００５７】
本発明を実行するのに用いられる装置は通常、ある種の制御システムを含有する。これらには、いわゆるスマート制御システム、並びに更に従来の電気機械システムのような電気システムが挙げられる。制御システムによって、ユーザーは、洗濯されるべき布地負荷の大きさ、汚れの種類、汚れの程度、洗濯サイクルの時間を選択することが可能になる。もう１つの方法として、ユーザーは、予め設定された洗濯サイクル及び／又はリフレッシュサイクルを用いることができ、又は装置は、確認可能ないかなる数のパラメータに基づいてもサイクルの長さを制御することができる。このことは、電気制御システムについて特にあてはまる。例えば、溶媒及び／又は添加溶媒の収集率が一定率に達したら、固定された所定時間の後に、装置自体を停止させるか、又は溶媒及び／若しくは添加溶媒のための別の方法を開始する。
【００５８】
電気制御システムの場合、１つの選択肢は制御デバイスをいわゆる「スマートデバイス」にすることである。このことは、自己診断システム、負荷の種類及びサイクル選択、機械をインターネットに接続して使用者が装置を遠隔的に始動させ、装置が布地物品を洗濯したら知らせること、又は装置が故障した場合、供給元が遠隔的に問題を診断することを含むことを意味するが、これらに限定されない。その上、本発明の装置が単に洗浄システムの一部であるならば、いわゆる「スマートシステム」は、洗濯機や乾燥機のような洗浄工程の残りを完了するのに用いられるその他の洗浄装置に連絡させることができる。
【国際調査報告】
2005513293.tif 000004
2005513293.tif 000005
2005513293.tif 000006